【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
椎骨間骨組形成システムであって、ｉｎ  ｖｉｖｏで椎骨間骨組形成システムを生成するように構成された、横垂直方向に拡張するフレームを含み、
前記フレームは、
拡張状態および折畳み状態と、
第１の上部ビーム、第２の上部ビーム、第１の下部ビームおよび第２の下部ビームと、
第１の上部ビームを第２の上部ビームに拡張可能に接続して上部平面を形成するように構成された、上部コネクタ要素と、
第１の下部ビームを第２の下部ビームに拡張可能に接続して下部平面を形成するように構成された、下部コネクタ要素と、
第１の上部ビーム、第１の下部ビーム、第２の上部ビーム、第２の下部ビーム、またはそれらの組合せに係合するとともに、横垂直方向拡張フレームを拡張状態または折り畳み状態に、ｉｎ  ｖｉｖｏで保持するように構成された、スタビライザと
を有する、前記椎骨間骨組形成システム。
【請求項２】
請求項１に記載のシステムであって、
スタビライザがＸ構造であって、該Ｘ構造は、第１の上部ビームの横方向移動との角度θ１Ｔで、第１の上部ビームと摺動可能に係合するための第１の上部脚部と、第１の下部ビームの横方向移動との角度θ１Ｂで、第１の下部ビームと摺動可能に係合するための第１の下部脚部と、第２の上部ビームの横方向移動との角度θ２Ｔで、第２の上部ビームと摺動可能に係合するための第２の上部脚部と、第２の下部ビームの横方向移動との角度θ２Ｂで、第２の下部ビームと摺動可能に係合するための第２の下部脚部とを有し、角度θ１Ｔ、θ１Ｂ、θ２Ｔ、θ２Ｂの各々は、拡張状態を超える横方向移動から、それぞれ、第１の上部ビーム、第１の下部ビーム、第２の上部ビーム、および第２の下部ビームを防ぎ止めるための引張力を提供する、前記システム。
【請求項３】
請求項１に記載のシステムであって、
スタビライザがＸ構造であって、該Ｘ構造は、第１の上部ビームの横方向移動との角度θ１Ｔで、第１の上部ビームと摺動可能に係合するための第１の上部脚部と、第１の下部ビームの横方向移動との角度θ１Ｂで、第１の下部ビームと摺動可能に係合するための第１の下部脚部と、第２の上部ビームの横方向移動との角度θ２Ｔで、第２の上部ビームと摺動可能に係合するための第２の上部脚部と、第２の下部ビームの横方向移動との角度θ２Ｂで、第２の下部ビームと摺動可能に係合するための第２の下部脚部とを有し、角度θ１Ｔ、θ１Ｂ、θ２Ｔ、θ２Ｂの各々は、拡張状態を超える横方向移動から、それぞれ、第１の上部ビーム、第１の下部ビーム、第２の上部ビーム、および第２の下部ビームを防ぎ止めるための引張力を提供するとともに、
システムは、硬い拡張部材をさらに含む、前記システム。
【請求項４】
請求項１に記載のシステムであって、
スタビライザが、第１の上部ビームの横方向移動との角度θ１Ｔで、第１の上部ビームと摺動可能に係合するための第１の上部脚部と、第１の下部ビームの横方向移動との角度θ１Ｂで、第１の下部ビームと摺動可能に係合するための第１の下部脚部と、第２の上部ビームの横方向移動との角度θ２Ｔで、第２の上部ビームと摺動可能に係合するための第２の上部脚部と、第２の下部ビームの横方向移動との角度θ２Ｂで、第２の下部ビームと摺動可能に係合するための第２の下部脚部とを有し、角度θ１Ｔ、θ１Ｂ、θ２Ｔ、θ２Ｂの各々は、＞０であり、拡張状態を超える横方向移動から、それぞれ、第１の上部ビーム、第１の下部ビーム、第２の上部ビーム、および第２の下部ビームを防ぎ止めるための引張力を提供する、前記システム。
【請求項５】
請求項１に記載のシステムであって、
スタビライザが、第１の垂直脚部、第２の垂直脚部、および第１の垂直脚部と第２の垂直脚部を接続するクロスメンバを有し、第１の垂直脚部は、第１の上部ビームと第１の下部ビームに係合するための保持表面を含み、第２の垂直脚部は、第２の上部ビームと第２の下部ビームに係合するための保持表面を含み、クロスメンバは、拡張状態を超える横方向移動から第１の上部ビーム、第１の下部ビーム、第２の上部ビーム、および第２の下部ビームを防ぎ止めるための引張力を提供する、前記システム。
【請求項６】
請求項１に記載のシステムであって、
スタビライザが、第１の垂直脚部、第２の垂直脚部、および第１の垂直脚部と第２の垂直脚部を接続するクロスメンバを有し、第１の垂直脚部は、第１の上部ビームと第１の下部ビームに係合するための保持表面を含み、第２の垂直脚部は、第２の上部ビームと第２の下部ビームに係合するための保持表面を含み、クロスメンバは、拡張状態を超える横方向移動から第１の上部ビーム、第１の下部ビーム、第２の上部ビーム、および第２の下部ビームを防ぎ止めるための引張力を提供し、システムは、硬い拡張部材をさらに含む、前記システム。
【請求項７】
請求項１に記載のシステムであって、
スタビライザが、第１の垂直脚部、第２の垂直脚部、および第１の垂直脚部と第２の垂直脚部を接続するクロスメンバを有し、第１の垂直脚部は、第１の上部ビームと第１の下部ビームに係合するための保持表面を含み、第２の垂直脚部は、第２の上部ビームと第２の下部ビームに係合するための保持表面を含み、クロスメンバは、拡張状態を超える横方向移動から第１の上部ビーム、第１の下部ビーム、第２の上部ビーム、および第２の下部ビームを防ぎ止めるための引張力を提供し、スタビライザが、横垂直方向拡張フレーム中に拡張部材を誘導するためのガイドワイヤを解除可能に取り付けるための取付け点をさらに含む、前記システム。
【請求項８】
請求項１に記載のシステムであって、
スタビライザが、第１の垂直脚部、第２の垂直脚部、および第１の垂直脚部と第２の垂直脚部を少なくとも実質的に平行に接続するクロスメンバを有し、第１の垂直脚部は、第１の上部ビームと第１の下部ビームに係合するための保持表面を含み、第２の垂直脚部は、第２の上部ビームと第２の下部ビームに係合するための保持表面を含み、クロスメンバは、拡張状態を超える横方向移動から第１の上部ビーム、第１の下部ビーム、第２の上部ビーム、および第２の下部ビームを防ぎ止めるための引張力を提供し、
前記システムが、硬い拡張部材をさらに含み、スタビライザが、横垂直方向拡張フレーム中に拡張部材を誘導するためのガイドワイヤを解除可能に取り付けるための、取付け点をさらに含む、前記システム。
【請求項９】
請求項１に記載のシステムであって、
スタビライザがＨ構造であって、該Ｈ構造は、第１の垂直脚部、第２の垂直脚部、および第１の垂直脚部と第２の垂直脚部を少なくとも実質的に平行に接続するクロスメンバを有し、第１の垂直脚部は、第１の上部ビームと第１の下部ビームに係合するための保持表面を含み、第２の垂直脚部は、第２の上部ビームと第２の下部ビームに係合するための保持表面を含み、クロスメンバは、拡張状態を超える横方向移動から第１の上部ビーム、第１の下部ビーム、第２の上部ビーム、および第２の下部ビームを防ぎ止めるための引張力を提供し、
前記システムが、硬い拡張部材をさらに含み、クロスメンバは、横垂直方向拡張フレーム中に拡張部材を誘導するためのガイドワイヤを解除可能に取り付けるための取付け点を有するハブにおいて動作可能に接続する、第１のピラーと第２のピラーとを含む、前記システム。
【請求項１０】
移植ポートを有する硬い拡張部材をさらに含む、請求項１に記載の骨組形成システム。
【請求項１１】
各々のコネクタ要素はストラットであり、
上部ストラットは、第１の上部ビームと第２の上部ビームとにモノリシックに一体化して構成され、
下部ストラットは、第１の下部ビームと第２の下部ビームとにモノリシックに一体化して構成されている、請求項１に記載の骨組形成システム。
【請求項１２】
請求項１に記載のシステムであって、
第１の上部ビームを第１の下部ビームに拡張可能に接続するように構成された、第１の側部コネクタ要素と、第２の上部ビームを第２の下部ビームに拡張可能に接続するように構成された、第２の側部コネクタ要素とをさらに含み、それぞれのコネクタ要素はストラットであり、
上部ストラットは、第１の上部ビームと第２の上部ビームにモノリシックに一体化して構成され、
下部ストラットは、第１の下部ビームと第２の下部ビームにモノリシックに一体化して構成され、
第１の側部ストラットは、第１の上部ビームと第１の下部ビームにモノリシックに一体化して構成され、
第２の側部ストラットは、第２の上部ビームと第２の下部ビームにモノリシックに一体化して構成されている、前記システム。
【請求項１３】
請求項１の骨組形成システムを使用して椎骨間腔を固定する方法であって、
繊維環で包囲された髄核を有する椎間板中への入口を生成すること、
入口を通して椎間板内部から髄核を除去し、繊維環内部の請求項１の骨組形成システムの拡張のために、上部椎骨板と下部椎骨板を有する椎骨間腔を残すこと；
折り畳み状態の横垂直方向拡張フレームを、入口を通り椎骨間腔中に挿入すること；
横垂直方向拡張フレームを拡張して、骨組形成システムを形成すること；および
移植材料を椎骨間腔に添加すること
を含む、前記方法。
【請求項１４】
入口を生成することが、約５ｍｍから約１５ｍｍの範囲の入口の横方向寸法を生成することを含み、横方向拡張の量が、入口の横方向寸法を越えるように選択される、請求項１３に記載の方法。
【請求項１５】
拡張することが、
横垂直方向拡張フレームを、入口の幅を越える幅まで、横方向に拡張させること、および
横垂直方向拡張フレームを、垂直方向に拡張させて、拡張状態で椎骨間腔を支持することを含む、請求項１３に記載の方法。
【請求項１６】
横垂直方向拡張フレームを拡張することが、拡張部材を挿入し拡張後に横垂直方向拡張フレーム外に後退することを防止する手段を契合させることを含む、請求項１３に記載の方法。
【請求項１７】
請求項１の骨組形成システム、および
横垂直方向拡張フレーム中に拡張部材を誘導するように適合されたガイドワイヤを含む、キット。
【請求項１８】
請求項２の骨組形成システム、および
横垂直方向拡張フレーム中に拡張部材を誘導するように適合されたガイドワイヤを含む、キット。
【請求項１９】
請求項４の骨組形成システム、および
横垂直方向拡張フレーム中に拡張部材を誘導するように適合されたガイドワイヤを含む、キット。
【請求項２０】
請求項６の骨組形成システム、および
横垂直方向拡張フレーム中に拡張部材を誘導するように適合されたガイドワイヤを含む、キット